(57)【要約】      （修正有）【課題】通気し、洗浄しやすく、保温機能のある衛生看護病床を提供する。【解決手段】ベッド台及び支持足を含み、ベッド台の上縁に網穴シートがぴんと張られていて、その中、ベッド台の下縁に網穴シート底部に対する保温に役に立つ保温マスクが固定されている。保温マスクは臀部に当たるところにあり、下部がくぼんでいる漏斗形構造であり、漏斗形構造の一番低いところに洗浄水などの集中排出に便利な排水口が設けられている。【選択図】図４
0003154984.tif 000002
【実用新案登録請求の範囲】
【請求項１】
ベッド台及び支持足を含み、ベッド台の上縁に網穴シートが取り付けられて、ベッド台の下縁に保温マスクが固定されていることを特徴とする保温形衛生看護病床。
【請求項２】
保温マスクが臀部に当たるところにあり、下へくぼんでいる漏斗形構造になり、漏斗形構造の一番低いところに排水口が設けられていることを特徴とする、請求項１記載の保温形衛生看護病床。
【請求項３】
漏斗形構造のスペースにスプレーヘッドが取り付けられていることを特徴とする、請求項１記載の保温形衛生看護病床。
【請求項４】
保温マスクが少なくとも補強部、保温材料部及び裏にある防水部を含むことを特徴とする、請求項１または２に記載の保温形衛生看護病床。
【請求項５】
防水部が分解可の構造であり、補強部の表面に付けられていることを特徴とする、請求項４記載の保温形衛生看護病床。
【請求項６】
ベッド台の二内側に内蔵のモータに駆動されている機械アーム台の設けられているふさわしいレールが設けられていることを特徴とする、請求項１記載の保温形衛生看護病床。
【請求項７】
ベッド台網穴シートと保温マスクによるスペースに空気調節器が接続されていることを特徴とする、請求項１または２記載の保温形衛生看護病床。
【請求項８】
網穴シートの網穴直径または最大対角線が30mm以下にあることを特徴とする、請求項１記載の保温形衛生看護病床。
【請求項９】
網穴シートが透明または半透明材料の繊維線で編まれたものであり、上記の網穴の直径または最大対角線が経緯線直径の30倍以下にあることを特徴とする、請求項１記載の保温形衛生看護病床。
【請求項１０】
上記の網穴シートが臀部に当たるところにあり、排便に便利な通過穴が設けられていることを特徴とする、請求項１から３のいずれかに記載の保温形衛生看護病床。
【考案の詳細な説明】
【技術分野】
【０００１】
本考案は長期に病床で暮す不髄で動けない病人の使用に適する通気及び保温の機能のある看護病床に関する。
【背景技術】
【０００２】
従来の病床は機能が単調であり、ベッド台及びベッド台に置かれているマットレスからなり、一般に、マットレスが直接に保温性能のある材料で作られ、夏になると、温度を下げるように、マットレスに夏の寝ござなどを追加するが、長期に病床で暮す病人に対して、どうしても、マットレス側に押さえている体が通気性に弱いので、病人に床ずれまたはしもやけなどが生じるのが普通である。なお、病床で暮す病人は動きが不便であるので、自ら暮らすことできなく、常にベッドで排便してしまい、完全に洗浄しにくく、変なにおいが残されるので、病室の生活周囲に影響をもたらす。通気及び排便の洗浄の問題を解決するように、本考案者が以前に申請した衛生看護病床で網穴シートでマットレスを作る案を提出したが、網穴が空気に通じているので、保温しにくいので、秋冬期に適しがたいというような欠陥があるので、いかにそんな問題を解決するのが本考案の対象となった。
【０００３】
本考案は目的が通気し、洗浄しやすく、保温機能のある衛生看護病床を設計することにある。
【考案の概要】
【０００４】
本考案は技術案が下記の通りに実現されるものである。ベッド台及び支持足を含み、ベッド台の上縁に網穴シートがぴんと張られていて、その中、ベッド台の下縁に網穴シート底部に対する保温に役に立つ保温マスクが固定されていて、人体の上部が掛け布団などに覆われ、両者が向かい合って人体を挟んでいて、必要な保温構造となり、網穴シートに通気及び洗浄し易いという長所がある保温形衛生看護病床。
【０００５】
上記の底部マスクは臀部に当たるところにあり、下部がくぼんでいる漏斗形構造であり、漏斗形構造の一番低いところに洗浄水などの集中排出に便利な排水口が設けられている。
上記の保温マスクは少なくとも保温材料部を堅牢に付けられ、洗浄操作で引張により壊されがたい補強部、保温材料部及び保温材料部に対する汚水による汚染または腐食を効果的に防止でき、裏にある防水部を含む。
【０００６】
本考案の保温形衛生看護病床は設計が合理であり、構造が簡単であり、従来の病床で病人が長期間に横になり、背部に通気していないことによる床ずれなどの発生を効果的に解決し、更に病床の洗浄に便利であり、汚水が直接に底部の排水口を通じて集められて排出され、保温部の形成するスペースで、空気調節器に通じる場合、ほしいまま温度を調節できるだけでなく、内部の空気にある湿気を除去でき、病人の背部を湿気がなく、さわやかにさせ、病人が床ずれなどの皮膚病にかかりがたく、看護作業をやさしくすることも可能である。
【図面の簡単な説明】
【０００７】
次に、具体的な図例を結び合わせてより詳細に本考案につき説明する。
【図１】保温形衛生看護病床の立体分解図
【図２】保温形衛生看護病床の立体図
【図３】保温形衛生看護病床の内部構造図
【図４】保温形衛生看護病床の断面図
【図５】保温形衛生看護病床の端部図
【考案を実施するための形態】
【０００８】
図1、図2、図3、図4及び図5を参照。ベッド台1及び支持足2を含み、ベッド台1の上縁に網穴シート3がぴんと張られていて、その中、ベッド台1の下縁に保温マスク4が固定されていて、底部マスク4と網穴シート3との間に空気を通じさせることができるだけでなく、各種の治療装置も取り付けられる一定のスペースがあり、底部マスク4は臀部に当たるところにあり、下へくぼんでいる漏斗形構造41になり、漏斗の一番低いところに網穴シートの汚水を集めて排出できる排水口40が設けられている保温形衛生看護病床。
なお、漏斗形構造41のスペースに直接に網穴シート3の底部から上へスプレーで洗浄し、上下両面の洗浄を形成し、衛生のブライドコーナーを残さないスプレーヘッドが取り付けられている。
【０００９】
図4を参照。保温マスク4は少なくともステンレス板製、ゴム網製または金属網製などのものであり、腐食に耐える補強部42、保温材料部43及び裏にある防水部44を含む。表に保温材料部43、裏に防水部44が付けられているので、効果的に補強部42及び保温材料部43に対する汚水による汚染を避けられ、防水部がステンレス板など補強部の表面付けられている分解可の構造であり、随時に交換されることができ、便利なものである。
【００１０】
図1、図3及び図4を参照。ベッド台1は両側に機械アーム台12が取り付けられているふさわしいレール11が設けられている。操作を便利にするために、機械アーム台12が内部に取り付けられているモータ13に駆動され、モータ13により機械アーム台12を駆動して上下に移動させる。機械アーム台12に病人の背部に対する必要な治療を行うマッサージ治療装置や赤外線装置のような各種の治療装置を置くスペースが設けられている。病人の健康に有利的にするように、ベッド台の網穴シート3と保温マスク4によるスペースに空気調節器でベッド台の内部の周囲温度及び湿度を調節して、人体に最も適する乾燥度及び温度を保つ空気調節器5が接続されている。
【００１１】
また、上記の網穴シート3は網穴がプレス成形によるものであってもいいし、丸穴、長方形穴、六角形または八角形などの幾何形であってもよく、網穴の直径または最大対角線が30mm以下にある。
網穴シート3は繊維線で編まれたものであり、丸形の網穴または各種幾何形に編まれても同様である。上記の網穴は直径または最大対角線が経緯線直径の30倍以下にある。
保温マスク内部スペースに対する観察及び赤外線と紫外線などの透過に有利にするように、網穴シート3を構成する材料は透明または半透明の材料であり、それに柔軟であれば柔軟であるほど望ましい。
【００１２】
行動きに不便な病人の排便に便利なように、網穴シートの臀部に当たるところに排便に便利な通過穴45が設けられている。その通過穴の設置により、動きに不便な病人が直接にその通過穴で排便でき、看護作業に便利であり、同時に網穴シートを汚れることがなく、網穴シートの洗浄作業量を大いに少なくすることができる。
【符号の説明】
【００１３】
1−ベッド台           2−支持足        3−網穴シート
4−底部マスク        
5−空気調節器    11−レール          
12−機械アーム台     13−モータ        40−排水口        
41−漏斗形構造       42−油注入部      43−保温材料部   
44−防水部      
45−通気穴
【図１】
0003154984.tif 000003
【図２】
0003154984.tif 000004
【図３】
0003154984.tif 000005
【図４】
0003154984.tif 000006
【図５】
0003154984.tif 000007
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
ベッド台及び支持足を含み、ベッド台の上縁に網穴シートが取り付けられて、ベッド台の下縁に保温マスクが固定されていることを特徴とする保温形衛生看護病床；保温マスクが臀部に当たるところにあり、下へくぼんでいる漏斗形構造になり、漏斗形構造の一番低いところに排水口が設けられていることを特徴とする保温形衛生看護病床。
【請求項２】
漏斗形構造のスペースにスプレーヘッドが取り付けられていることを特徴とする、請求項１記載の保温形衛生看護病床。
【請求項３】
保温マスクが少なくとも補強部、保温材料部及び裏にある防水部を含むことを特徴とする、請求項１または２に記載の保温形衛生看護病床。
【請求項４】
防水部が分解可の構造であり、補強部の表面に付けられていることを特徴とする、請求項３記載の保温形衛生看護病床。
【請求項５】
ベッド台の二内側に内蔵のモータに駆動されている機械アーム台の設けられているふさわしいレールが設けられていることを特徴とする、請求項１記載の保温形衛生看護病床。
【請求項６】
ベッド台網穴シートと保温マスクによるスペースに空気調節器が接続されていることを特徴とする、請求項１または２に記載の保温形衛生看護病床。
【請求項７】
網穴シートの網穴直径または最大対角線が30mm以下にあることを特徴とする、請求項１に記載の保温形衛生看護病床。
【請求項８】
網穴シートが透明または半透明材料の繊維線で編まれたものであり、上記の網穴の直径または最大対角線が経緯線直径の30倍以下にあることを特徴とする、請求項１に記載の保温形衛生看護病床。
【請求項９】
上記の網穴シートが臀部に当たるところにあり、排便に便利な通過穴が設けられていることを特徴とする、請求項１または２に記載の保温形衛生看護病床。